【手続補正書】
【提出日】平成23年6月7日(2011.6.7)
【手続補正１】
【補正対象書類名】特許請求の範囲
【補正対象項目名】全文
【補正方法】変更
【補正の内容】
【特許請求の範囲】
【請求項１】
後鏡筒と、
前記後鏡筒に組みつけられ前記後鏡筒と共に収容空間を形成する前鏡筒と、
撮像光学系を保持し前記収容空間に収容されたレンズ保持部と、
前記レンズ保持部を前記撮像光学系の光軸に沿って移動可能に支持する後スプリングと前スプリングとを備え、
前記後スプリングと前記前スプリングの少なくとも一方のスプリングの延在方向の端部は、前記前鏡筒と前記後鏡筒とで挟持されて配設され、
前記スプリングの延在方向の端部を挟持する前記後鏡筒の部分と前記前鏡筒の部分の外面は、それら挟持する部分の周囲の箇所の外面よりも窪んで凹部を形成しており、
前記スプリングの延在方向の端部は、前記凹部内に位置している、
レンズ鏡筒。
【請求項２】
前記後鏡筒に支持され前記撮影光学系で導かれた被写体像を撮像する撮像素子と、
前記レンズ保持部を前記撮像光学系の光軸に沿って移動させる駆動部とを備え、
前記後スプリングと前記前スプリングは、前記レンズ保持部を前記撮像素子側から前記撮影光学系側に付勢する後スプリングと、前記レンズ保持部を前記撮影光学系側から前記撮像素子側に付勢する前スプリングとを有し、
前記後スプリングと前記前スプリングは、ばね板が帯状に延在して構成され、
前記スプリングの延在方向の端部は、前記周囲の箇所の外面の仮想延長面よりも内側に偏位した箇所に位置している、
請求項１記載のレンズ鏡筒。
【請求項３】
前記前鏡筒と前記後鏡筒とで挟持されて配設されるスプリングは後スプリングであり、
前記後鏡筒は、前記前鏡筒と反対に位置する後端面を有し、
前記凹部は、前記後端面に開放状に設けられている、
請求項１または２記載のレンズ鏡筒。
【請求項４】
前記後鏡筒で構成される前記凹部の底面は、前記後端面に向かうにつれて前記凹部の深さを次第に大きくする傾斜面で形成されている、
請求項３記載のレンズ鏡筒。
【請求項５】
前記駆動部は、前記レンズ保持部に取着されたコイルと、前記撮像光学系の光軸に沿った推力を前記コイルに発生させるマグネットとを含んで構成され、
前記前鏡筒と前記後鏡筒とで挟持されて配設されるスプリングは、互いに分離され前記コイルの両端にそれぞれ電気的に接続された２つのスプリング分割体で構成され、
前記コイルに対する駆動電流の供給は前記２つのスプリング分割体を介してなされる、
請求項１、２、３または４記載のレンズ鏡筒。
【請求項６】
後鏡筒と、
前記後鏡筒に組み付けられ前記後鏡筒と共に収容空間を形成する前鏡筒と、
撮像光学系を保持し前記収容空間に収容されたレンズ保持部と、
前記レンズ保持部を前記撮像光学系の光軸に沿って移動可能に支持する後スプリングと前スプリングとを備え、
前記後鏡筒は、前記前鏡筒と反対に位置する後端面を有し、
前記前鏡筒は、前記後鏡筒と反対に位置する前端面を有するレンズ鏡筒の製造方法であって、
前記矩形枠寄りに位置する前記スプリングの延在方向の端部を、前記前鏡筒と前記後鏡筒とで挟持し、
前記挟持する前記後鏡筒の部分と前記前鏡筒の部分の外面を、それら挟持する部分の周囲の箇所の外面よりも窪んだ凹部に形成しておき、
レーザーを前記凹部内に照射して前記スプリングと前記矩形枠とを切り離すようにした、
レンズ鏡筒の製造方法。
【請求項７】
前記後スプリングと前記前スプリングは、前記レンズ保持部を前記撮像素子側から前記撮影光学系側に付勢する後スプリングと、前記レンズ保持部を前記撮影光学系側から前記撮像素子側に付勢する前スプリングとを有するレンズ鏡筒の製造方法であって、
前記後スプリングと前記前スプリングのうちの一方のスプリングを、ばね板製の板材をプレス加工することで矩形枠と一体にこの矩形枠の内側に帯状に延在して形成する、
請求項６記載のレンズ鏡筒の製造方法。
【請求項８】
前記凹部を前記後端面側あるいは前記前端面側に開放状に形成しておき、
レーザーを前記凹部内で前記開放された側に向けて照射する、
請求項６または７記載のレンズ鏡筒の製造方法。
【請求項９】
前記凹部の底面を、前記凹部が開放される側に向かうにつれて前記凹部の深さを次第に大きくする傾斜面で形成しておく、
請求項８記載のレンズ鏡筒の製造方法。
【手続補正２】
【補正対象書類名】明細書
【補正対象項目名】発明の名称
【補正方法】変更
【補正の内容】
【発明の名称】レンズ鏡筒およびその製造方法
【手続補正３】
【補正対象書類名】明細書
【補正対象項目名】０００１
【補正方法】変更
【補正の内容】
【０００１】
本発明は例えば携帯用の電子機器などに組み込まれるレンズ鏡筒およびその製造方法に関する。
【手続補正４】
【補正対象書類名】明細書
【補正対象項目名】０００２
【補正方法】変更
【補正の内容】
【０００２】
近年、レンズ鏡筒が組み込まれた携帯電話機、あるいはＰＤＡ（Ｐｅｒｓｏｎａｌ Ｄｉｇｉｔａｌ Ａｓｓｉｓｔａｎｔｓ）などの電子機器が提供されている。
このようなレンズ鏡筒として、後鏡筒と、前鏡筒と、撮像光学系を保持するレンズ保持部材と、撮像光学系によって導かれた被写体像を撮像する撮像素子と、レンズ保持部を撮像光学系の光軸に沿って移動可能に支持する案内機構と、レンズ保持部を前記撮像光学系の光軸に沿って移動させる駆動部とを備えるものが提供されている（特許文献１参照）。
このレンズ鏡筒では、前記案内機構は、レンズ保持部を撮像素子側から撮影光学系側に付勢する後スプリングと、レンズ保持部を撮影光学系側から撮像素子側に付勢する前スプリングとを有している。
そして、後スプリングの延在方向の端部は、前鏡筒と後鏡筒とで挟持されて配設されている。
後スプリングの組み付けは次のようになされる。
すなわち、後スプリングと、この後スプリングの外周に枠状に延在する枠部と、枠部と後スプリングとを接続する接続部とを含むスプリング部材をプレス加工により形成しておく。
次いで、スプリング部材を前鏡筒と後鏡筒とで挟持し、前鏡筒と後鏡筒の外方に位置する接続部の部分をレーザー光線によって切断し、スプリング部材から後スプリングを切り離す。
【手続補正５】
【補正対象書類名】明細書
【補正対象項目名】０００３
【補正方法】変更
【補正の内容】
【０００３】
しかしながら、上記従来のレンズ鏡筒では、レーザー光線による接続部の切断に際して、レーザー光線による前鏡筒と後鏡筒への加熱によるダメージを防止するために、接続部の切断箇所と、前鏡筒および後鏡筒との間隔を確保する必要がある。
そのため、接続部の切断箇所が前鏡筒および後鏡筒の輪郭から突出するため、レンズ鏡筒の小型化を図り難い不利がある。
本発明はこのような事情に鑑みなされたものであり、本発明の目的は、小型化を図る上で有利なレンズ鏡筒およびその製造方法を提供することにある。
【手続補正６】
【補正対象書類名】明細書
【補正対象項目名】０００４
【補正方法】変更
【補正の内容】
【０００４】
上述の目的を達成するため、本発明のレンズ鏡筒は、後鏡筒と、前記後鏡筒に組みつけられ前記後鏡筒と共に収容空間を形成する前鏡筒と、撮像光学系を保持し前記収容空間に収容されたレンズ保持部と、前記レンズ保持部を前記撮像光学系の光軸に沿って移動可能に支持する後スプリングと前スプリングとを備え、前記後スプリングと前記前スプリングの少なくとも一方のスプリングの延在方向の端部は、前記前鏡筒と前記後鏡筒とで挟持されて配設され、前記スプリングの延在方向の端部を挟持する前記後鏡筒の部分と前記前鏡筒の部分の外面は、それら挟持する部分の周囲の箇所の外面よりも窪んで凹部を形成しており、前記スプリングの延在方向の端部は、前記凹部内に位置している。
また本発明のレンズ鏡筒の製造方法は、後鏡筒と、前記後鏡筒に組み付けられ前記後鏡筒と共に収容空間を形成する前鏡筒と、撮像光学系を保持し前記収容空間に収容されたレンズ保持部と、前記レンズ保持部を前記撮像光学系の光軸に沿って移動可能に支持する後スプリングと前スプリングとを備え、前記後鏡筒は、前記前鏡筒と反対に位置する後端面を有し、前記前鏡筒は、前記後鏡筒と反対に位置する前端面を有するレンズ鏡筒の製造方法であって、前記矩形枠寄りに位置する前記スプリングの延在方向の端部を、前記前鏡筒と前記後鏡筒とで挟持し、前記挟持する前記後鏡筒の部分と前記前鏡筒の部分の外面を、それら挟持する部分の周囲の箇所の外面よりも窪んだ凹部に形成しておき、レーザーを前記凹部内に照射して前記スプリングと前記矩形枠とを切り離すようにした。